(57)【要約】      （修正有）【課題】フレキシブル液晶表示装置を提供する。【解決手段】フレキシブル液晶表示装置100は、第１フレキシブル基板112と、第２フレキシブル基板114と、液晶層116と、カバー層110と、耐水接着剤120とを含む。第２フレキシブル基板114は第１フレキシブル基板112に対向して配置され、液晶層116は第１フレキシブル基板112と第２フレキシブル基板114との間に配置される。カバー層110は第２フレキシブル基板114に面する表面を有し、耐水接着剤120はカバー層110の表面および第２フレキシブル基板114の側面114cに接着される。【選択図】図２
2020154307.tif 000002
【特許請求の範囲】
【請求項１】
第１フレキシブル基板と、
前記第１フレキシブル基板に対向して配置される第２フレキシブル基板と、
前記第１フレキシブル基板と前記第２フレキシブル基板との間に配置される液晶層と、
前記第２フレキシブル基板に面する表面を有するカバー層と、
前記カバー層の表面および前記第２フレキシブル基板の側面に接着される耐水接着剤と、
を備えるフレキシブル液晶表示装置。
【請求項２】
前記第２フレキシブル基板が前記耐水接着剤に取り囲まれる、請求項１に記載のフレキシブル液晶表示装置。
【請求項３】
前記第１フレキシブル基板が前記耐水接着剤に取り囲まれる、請求項１に記載のフレキシブル液晶表示装置。
【請求項４】
前記カバー層および前記耐水接着剤に接着される接着剤をさらに備える、請求項１に記載のフレキシブル液晶表示装置。
【請求項５】
前記耐水接着剤が前記接着剤に取り囲まれる、請求項４に記載のフレキシブル液晶表示装置。
【請求項６】
前記接着剤が前記耐水接着剤に直接接触する、請求項４に記載のフレキシブル液晶表示装置。
【請求項７】
前記耐水接着剤が、前記第２フレキシブル基板の側面と前記接着剤との間に挟まれる、請求項４に記載のフレキシブル液晶表示装置。
【請求項８】
前記第１フレキシブル基板が、第１表面と、第２表面とを備え、前記第１表面は前記液晶層に面し、前記第２表面は前記第１表面の反対側に位置し、前記接着剤の少なくとも一部が前記第１フレキシブル基板の前記第２表面に配置される、請求項４に記載のフレキシブル液晶表示装置。
【請求項９】
前記第１フレキシブル基板の前記第２表面に配置された前記接着剤の前記少なくとも一部が曲面形状を有する、請求項８に記載のフレキシブル液晶表示装置。
【請求項１０】
前記第１フレキシブル基板が側面を備え、前記耐水接着剤が前記第１フレキシブル基板の前記側面と前記接着剤との間に挟まれる、請求項４に記載のフレキシブル液晶表示装置。
【請求項１１】
前記カバー層の前記表面に接着された前記接着剤の前記少なくとも一部が曲面形状を有する、請求項４に記載のフレキシブル液晶表示装置。
【請求項１２】
前記接着剤が上面視で中断された線のパターンとして存在する、請求項４に記載のフレキシブル液晶表示装置。
【請求項１３】
前記耐水接着剤が上面視で中断された線のパターンとして存在する、請求項１に記載のフレキシブル液晶表示装置。
【請求項１４】
前記耐水接着剤が、内層に複数の第１断片を有し、外層に複数の第２断片を有する、請求項１３に記載のフレキシブル液晶表示装置。
【請求項１５】
前記複数の第１断片が、前記複数の第１断片の任意の２つの隣接する第１断片の間に第１間隔を有し、前記複数の第２断片が、前記複数の第２断片の任意の２つの隣接する第２断片の間に第２間隔を有する、請求項１４に記載のフレキシブル液晶表示装置。
【請求項１６】
前記カバー層の前記表面に接着された前記耐水接着剤の少なくとも一部が曲面形状を有する、請求項１に記載のフレキシブル液晶表示装置。
【請求項１７】
前記第１フレキシブル基板が、第１表面と、第２表面とを備え、前記第１表面は前記液晶層に面し、前記第２表面は前記第１表面の反対側に位置し、前記耐水接着剤の少なくとも一部が前記第１フレキシブル基板の前記第２表面に接着される、請求項１に記載のフレキシブル液晶表示装置。
【請求項１８】
前記第１フレキシブル基板の前記第２表面に接着された耐水接着剤の前記少なくとも一部が曲面形状を有する、請求項１７に記載のフレキシブル液晶表示装置。
【請求項１９】
前記第１フレキシブル基板の水方向の幅が、前記第２フレキシブル基板の水平方向の幅よりも大きい、請求項１に記載のフレキシブル液晶表示装置。
【請求項２０】
前記第１フレキシブル基板が、第１表面と、第２表面とを備え、前記第１表面は前記液晶層に面し、前記第２表面は前記第１表面の反対側に位置し、前記耐水接着剤が前記第１フレキシブル基板の前記第１表面に接着される、請求項１９に記載のフレキシブル液晶表示装置。
【発明の詳細な説明】
【技術分野】
【０００１】
本開示は、液晶表示装置に関し、より具体的にはフレキシブル液晶表示装置に関する。
【背景技術】
【０００２】
フレキシブル電子デバイスは、折りたためる（すなわち曲げられる、伸縮できる、または柔軟な）基板上に電子部品および電子素子を製造する新技術である。フレキシブル電子デバイスは、剛性の電子デバイスと比較して、小サイズ、費用対効果、軽量性、耐久性、柔軟性および携帯性を含む多くの利点をもたらす。この技術は、フレキシブルディスプレイや、フレキシブルタッチパネル、ウェアラブル電子デバイス等を含む、エレクトロニクスアプリケーションにおける潜在的使用の可能性のために、益々普及する。
【０００３】
現在、フレキシブルディスプレイの調査および開発について多くの研究が行われている。しかしながら、それであっても、多くの克服すべき技術的欠陥が存在する。例えば、フレキシブルディスプレイ、特にフレキシブル液晶ディスプレイについて、所定の期間使用した後に、ディスプレイのフレキシブル基板（例えばカラーフィルタ基板および／または薄膜トランジスタ基板等）の側面が、カバー層（例えばガラスカバー等）から剥離してしまう虞がある。この欠陥は、フレキシブルディスプレイの周辺部で異常な表示画像を発生させる虞があるだけでなく、剥離部位から外部の物質が侵入するのでフレキシブルディスプレイに大きな範囲の異常な表示画像を発生させる虞があり、これによりフレキシブルディスプレイの信頼性または寿命が減少する。
【発明の概要】
【発明が解決しようとする課題】
【０００４】
したがって、現在のフレキシブル液晶表示装置が直面する問題を解決するために、改良されたフレキシブル液晶表示装置を提供することが必要である。
【０００５】
実施形態によれば、本開示は、第１フレキシブル基板と、第２フレキシブル基板と、液晶層と、カバー層と、耐水接着剤とを含む、フレキシブル液晶表示装置を提供する。前記第２フレキシブル基板は前記第１フレキシブル基板に対向して配置され、前記液晶層は前記第１フレキシブル基板と前記第２フレキシブル基板との間に配置される。前記カバー層は前記第２フレキシブル基板に面する表面を有し、前記耐水接着剤は前記カバー層の表面および前記第２フレキシブル基板の側面に接着される。
【０００６】
本開示における本実施形態のフレキシブ液晶表示装置によれば、前記接着剤が前記カバー層の表面および前記第２フレキシブル基板の側面に接着されるので、前記第２フレキシブル基板、特に前記第２フレキシブル基板の側面が前記カバー層の表面から剥離する可能性が減少し、これにより前記フレキシブル液晶表示装置の信頼性を高め、寿命を延ばすことができる。
【０００７】
本開示におけるこれらの目的およびその他の目的は、種々の図表および図面で表された以下の実施形態の詳細な説明を当業者が読めば、間違いなく明らかになるだろう。
【図面の簡単な説明】
【０００８】
【図１】本開示の第１実施形態に係るフレキシブル液晶表示装置の概略上面図である。
【図２】本開示の第１実施形態に係るフレキシブル液晶表示装置の概略断面図でる。
【図３】本開示の第２実施形態に係るフレキシブル液晶表示装置の概略断面図である。
【図４】本開示の第３実施形態に係るフレキシブル液晶表示装置の概略断面図である。
【図５】本開示の第４実施形態に係るフレキシブル液晶表示装置の概略上面図である。
【図６】本開示の第５実施形態に係るフレキシブル液晶表示装置の概略上面図である。
【図７】本開示の実施形態に係るフレキシブル液晶表示装置の概略断面図である。
【発明を実施するための形態】
【０００９】
本開示は、以下に説明するように、次の詳細な説明を図面と併せて参照することにより、理解できる。尚、図面の簡潔さのため、および、当業者が容易に理解できるようにするため、図面中の構成要素は実際の縮尺で描かれていない場合がある。また、図面に示す各構成要素の数および寸法は、理解を助けるだけのものであり、本開示の範囲を限定することを意図するものではない。
【００１０】
特定の構成要素を参照するために、明細書およびこれに続く特許請求の範囲の全体に亘って一定の用語が使用される。当業者が理解するように、電子機器メーカーらがある構成要素を異なる名称で呼ぶ場合がある。本出願書類は、名称が異なるが機能が異ならない構成要素同士を区別することを意図していない。本開示の説明において使用される、用語“含む（include）”、“備える（comprise）”および／または“有している（have）”は開放形式の用語であるので、これらの用語は“...を含むが、これに限定されない”の意味として解釈されるべきである。
【００１１】
構成要素または層が“別の構成要素上または別の層上に配置される”、または、“別の構成要素または別の層に接続される”と記載される場合、当該構成要素または層は、別の構成要素上または別の層上に直接配置される、あるいは、別の構成要素または別の層に直接接続される、ことを意味するか、他の中間構成要素または層がそれらの間に存在することを意味してもよい。比較すると、構成要素が“別の構成要素または別の層に直接配置される”、または、“別の構成要素または別の層に直接接続される”と記載される場合、それらの間にいずれの中間構成要素または層も存在しない。
【００１２】
本開示で言及される用語“面する（face）”は、構成要素が別の構成要素に近接していることを意味し、用語“から離れて外方に面する（face away from）”は、構成が別の構成要素から離れて外方を向いていることを意味する。用語“フレキシブルデバイス（flexible device）”は、当該デバイスが曲げられ、折りたたまれ、巻くことができ、屈曲され、または、その他、これに限定されないが少なくとも１つの曲げ軸に従って同様に動かされることを意味する。いくつかの実施形態によれば、当該デバイスは、２つ以上の曲げ軸に従ってそれぞれで曲げられてもよい。
【００１３】
尚、以下の説明に記載される異なる実施形態の技術的特徴は、本開示の趣旨から逸脱することなく、別の実施形態を構成するために、お互いに交換、再結合または混合できることに留意されたい。
【００１４】
図１および図２を参照する。図１は、本開示の第１実施形態に係るフレキシブル液晶表示装置の概略上面図である。図２は、本開示の第１実施形態に係るフレキシブル液晶表示装置の概略断面図である。フレキシブル液晶表示装置100は、カバー層110と、耐水接着剤120と、接着剤122とを含み、接着剤122は耐水接着剤120を取り囲むことができる。フレキシブル液晶表示装置100は、表示領域102と周辺領域104とに分けられる。表示領域102は表示装置が画像を表示させる領域のことをいい、周辺領域104は、画像を表示しない領域のことをいい、すなわち、周辺回路を提供するための領域のことをいう。耐水接着剤120および接着剤122は、表示領域102の縁P1に沿って個別に配置され、耐水接着剤120および接着剤122に表示領域102を取り囲ませる。画像の表示に影響を与えないようにするため、耐水接着剤120および接着剤122は、表示領域102内には配置されないようにし、周辺領域104内にのみ配置される。耐水接着剤120は幅TK1を有し、接着剤122は幅TK2を有する（これらは方向Xのように同じ方向、すなわちカバー層110の水平方向に沿って測定される）。幅TK1および幅TK2は、同一とすることもできるし、異なるものとすることもできるし、特に限定されない。本実施形態では、幅TK1および幅TK2は両者とも2 mmである。さらに、上面図において、耐水接着剤120は、表示領域102の縁P1と表示領域102から離れた接着剤122の縁P2との間に配置されてよく、耐水接着剤120は表示領域102に近接し、保護効果が増大される。接着剤122の縁P2とカバー層110の縁P3との間の距離は、設計要件に従って決定することができる。本実施形態では、距離dは1.5 cmから3 mmとすることができるが、これに限定されない。別の実施形態では、接着剤122の縁P2は、カバー層110の縁P3と一直線にしてもよい。より明確に本開示を述べることを目的として、図１に示す装置の構造について以下に述べる。尚、図１は液晶層を通り抜けたフレキシブル液晶表示装置100の上面図であり、例えば図２の液晶層116の断平面BB’を介した上面図であることに留意されたい。
【００１５】
図２は、本開示の第１実施形態に係るフレキシブル液晶表示装置の概略断面図であり、図１の断面線A-A’に沿って描かれたフレキシブル液晶表示装置である。フレキシブル液晶表示装置100は、第１フレキシブル基板112と、第２フレキシブル基板114と、液晶層116とをさらに含む。ここで、第２フレキシブル基板114は第１フレキシブル基板112に対向して配置され、液晶層116が第１フレキシブル基板112と第２フレキシブル基板114との間に配置される。カバー層110は第２フレキシブル基板の上に配置され、カバー層110は、第２フレキシブル基板114から離れて外方に面する第１表面110b、および、第２フレキシブル基板114に面する第２表面110aを有する。第１フレキシブル基板112は、互いに向き合う第１表面112bおよび第２表面112aを含んでもよく、第１表面112bは第２フレキシブル基板114に面する。第２フレキシブル基板114は、互いに向き合う第１表面114bおよび第２表面114aを含んでもよく、第１表面114bはカバー層110に面し、第２表面114aは第１フレキシブル基板112に面する。
【００１６】
光学接着剤118が第２フレキシブル基板114とカバー層110との間に配置され、第２フレキシブル基板114とカバー層110とを固定する。耐水接着剤120は、カバー層110の第２表面110aの一部および第２フレキシブル基板114の側面114cに接着される。本実施形態では、耐水接着剤120はさらに第１フレキシブル基板112の側面112cに接着されてもよい。接着剤122は、カバー層110の第２表面110aの一部および第１フレキシブル基板112の一部に接着される。本実施形態では、接着剤122は、第１フレキシブル基板112の側面112cおよび第１フレキシブル基板112の第２表面112aに接着されるだけでなく、耐水接着剤120に直接接触することもできる。その結果、フレキシブル液晶表示装置100の一体的な堅固さを増強するのに加え、接着剤122が第１フレキシブル基板112から剥離する危険を減らすこともできる。
【００１７】
本実施形態によれば、耐水接着剤120は、接着剤122と第１フレキシブル基板112の間に配置され、且つ、接着剤122と第２フレキシブル基板114の間に配置され、また耐水接着剤120は第１フレキシブル基板112および第２フレキシブル基板114に結合することができる。試験結果によれば、例えば耐水接着剤120を配置して少なくとも第２フレキシブル基板114の側面114cを覆うことで、第２フレキシブル基板114のエッジ部で吸収される水分を減らすことができる。したがって、これにより第２フレキシブル基板114がカバー層110から剥離する危険性を減らすことができる。例えば、図２に示す曲げ軸FLを中心として、２つの矢印の方向に力を加えて第１フレキシブル基板112および第２フレキシブル基板114を曲げた場合、領域Aで示された部分における第２フレキシブル基板114の剥離を減らすことができる。したがって、フレキシブル液晶表示装置100の信頼性または寿命を向上させることができる。尚、折りたたみ軸FLの数は１つに限定されず１つより多くてもよく、その位置は使用者の方法にしたがって任意に決めてよいことに留意されたい。さらに、図中の２つの矢印の報告は単に説明のためのものであり、加力の実際の方向を限定することを意図するものではない。
【００１８】
耐水接着剤120は、シリコーンゲル、ポリウレタン（PU）、ポリエチレンテレフタレート（PET）、ポリカーボネート（PC）、およびポリメチルメタクリレート（PMMA）等の防水性を有する材料とすることができる。接着剤122は、耐水接着剤120を、第２フレキシブル基板114の側面114cに、より緊密に且つより堅く結合して、耐水接着剤120が第２フレキシブル基板114の側面114cから剥離するのを減らすために、接着力を有するポリマー材料等のより高い接着力を有する材料とすることができる。上述の接着剤122の接着力は、光学接着剤118の接着力と比較した結果であり、これは接着剤122が光学接着剤118よりも良い接着力を有することを意味する。具体的に言うと、光学接着剤118は、第２フレキシブル基板114およびカバー層110を固定することに加えて、光透過の機能も有する必要があり、比較すると、接着剤122は、主にフレキシブル液晶表示装置100の一体的な堅固さを増強するために使用されるものであるので、接着力の要求がより大きい。本実施形態では、耐水接着剤120は流動性を有するので、ノズルにより塗布することができ、その後、動かさずに置き、耐水接着剤120を乾燥して固めさせる。接着剤122はシートの形で配置される。他の実施形態では、接着剤122は、液体接着剤とすることができ、コーティング法で配置されることができるが、これに限定されない。さらに、本開示の実施形態によれば、耐水接着剤120および接着剤122は、（例えば図１に示すように）フレキシブル液晶表示装置100の周辺領域104に配置され、フレキシブル液晶表示装置100の表示領域102には配置されないので、材料を選択する際に、耐水接着剤120および接着剤122の光透過性について考える必要はない。
【００１９】
また、カバー層100の本体は、カバーガラス、保護層またはプラスチック基板とすることができる。第１フレキシブル基板112の本体、および第２フレキシブル基板114の本体は、それぞれプラスチック基板とすることができ、第１フレキシブル基板112および第２フレキシブル基板114の吸水率は、カバー層110の吸水率よりも高くすることができる。第１フレキシブル基板112の吸水率および第２フレキシブル基板114の吸水率が、カバー層110の吸水率よりも高いという条件について、第１フレキシブル基板112の本体、および／または、第２フレキシブル基板114の本体は、ポリイミド樹脂、ポリエステル樹脂、ポリエーテルスルホン樹脂、セルロース樹脂、ポリアクリレート樹脂、ポリスチレン樹脂、ポリオレフィン樹脂、ポリカーボネート樹脂、およびポリスルホン樹脂とすることができるが、これらに限定されない。カバー層110の本体は、第１フレキシブル基板112および／または第２フレキシブル基板114よりも低い吸水率を有するガラスまたは上述の樹脂とすることができる。本実施形態では、主にポリイミド樹脂が使用される。尚、上述したカバー層110、第１フレキシブル基板112および第２フレキシブル基板114は、例えば長方形であるがこれに限定されず、これらは、三角形やひし形、台形、くさび状のもの（V字形）、他の多角形、円弧状の縁を備えた不規則な形状等、適切ないずれの他の形状で与えられてもよいことに留意されたい。
【００２０】
さらに、液晶層116内の液晶材料は、ネマチック液晶、スメクチック液晶、コレステリック液晶等とすることができるが、これらに限定されない。また、第１フレキシブル基板112は、スイッチ素子（例えば、薄膜トランジスタ）、偏光子、導電線等の構成要素または層を含むことができる。第２フレキシブル基板114は、カラーフィルタ、偏光子、遮光層、導電線等の構成要素または層を含むことができる。これらは、簡潔のために、ここでは示していない。
【００２１】
フレキシブル液晶表示装置は、上記の実施形態に限定されず、異なる態様の様々な実施形態が存在し得る。説明を簡略化するために、以下の異なる態様の実施形態では、第１実施形態と同じ参照番号を使用して同じ要素を記号で表す。第１実施形態と異なる態様の実施形態との間の違いを容易に比較することを目的として、以下の説明では、異なる態様の実施形態の相違点を強調し、繰り返しとなる部分は、重複して記載しない。
【００２２】
図３は、本開示の第２実施形態に係るフレキシブル液晶表示装置の概略断面図である。本実施形態によれば、耐水接着剤120は、さらに第１フレキシブル基板112の第２表面112aに接着される。耐水接着剤120を第１フレキシブル基板112の第２表面112aに接着させることにより、水分がフレキシブル液晶表示装置100により入りづらくすることができるので、領域Aまたは領域Aの隣接部において第２フレキシブル基板114が剥離する危険を減らすことができる。本実施形態では、耐水接着剤120および接着剤122の、カバー層110の第２表面110aに接着される部分は、曲面形状を有する。また、耐水接着剤120および接着剤122の、第１フレキシブル基板112の第２表面112aに接着される部分（すなわち、底領域R1）は、曲面形状を有し、外観の審美的影響を向上させるのに加えて、デバイスの使用時に使用者が傷つくのを減らすこともできるが、本開示はこれらに限定されない。
【００２３】
図４は、本開示の第３実施形態に係るフレキシブル液晶表示装置の概略断面図である。本実施形態によれば、第１フレキシブル基板112のX方向の幅が、第２フレキシブル基板114のX方向の幅よりも大きいが、これに限定されない。さらに、耐水接着剤120は第１フレキシブル基板112の第１表面112bの一部に接着され、接着剤122は、第１フレキシブル基板112の側面112cと、第１フレキシブル基板112の第２表面112aとに接着される。
【００２４】
図５は、本開示の第４実施形態に係るフレキシブル液晶表示装置の概略上面図である。耐水接着剤120および接着剤122は、それぞれ表示領域102の縁P1に沿って配置され、本実施形態の接着剤122は上面視で中断された線のパターン（破線パターン）として存在し、表示領域102の縁P1の一部が接着剤122によって覆われていなくてもよい。中断された線のパターンは、断続線または一点鎖線の配置で存在してもよく、接着剤122の隣接する断片の間には間隔S1が存在するが、これに限定されない。間隔S1は、設計に従って互いに等しくしても異なってもよく、限定されない。本実施形態では、耐水接着剤120は、表示領域102の縁P1に沿って配置され、中断された線のパターンを有しておらず、水分がフレキシブル液晶表示装置100に侵入することを防ぐ能力が増強される。
【００２５】
図６は、本開示の第５実施形態に係るフレキシブル液晶表示装置の概略上面図である。本実施形態の耐水接着剤120は、上面視で中断された線のパターンで存在する。さらに、本実施形態の耐水接着剤120は、二重層構造であり、内層に複数の内側耐水接着剤120-1の断片を有し、外層に複数の外側耐水接着剤120-2の断片を有するが、これに限定されない。内側耐水接着剤120-1の任意の２つの隣接する断片の間に間隔S1が存在してもよく、外側対摺接着剤120-2の任意の２つの隣接する断片の間に間隔S2が存在してもよい。間隔S1および間隔S2は、必要に応じて適度に調整してよい。尚、内側耐水接着剤120-1および外側耐水接着剤120-2は、表示領域102全体を取り囲むように互いに接続されてよいことに留意されたい。このような設計では、耐水接着剤120と接着剤122との間により大きな接触面積があり、接着力が増大される。そして、耐水接着剤120は、表示領域102の縁P1でより緊密に配置されることができる。さらに、フレキシブル液晶表示装置100が使用中に曲げられるので、周辺領域104の角位置（例えば角領域C1、C2、C3、C4）から水分が容易に浸透する虞がある。したがって、本実施形態では、周辺領域104の角領域C1、C2、C3、C4で、表示領域102に近い場所にはすべて耐水接着剤120を配置し、角位置での防水機能を高める。
【００２６】
図７は、本開示の実施形態に係るフレキシブル液晶表示装置の概略断面図である。本実施形態ではフレキシブル液晶表示装置100のより多くの構成要素がさらに図示されており、第１フレキシブル基板112および第２フレキシブル基板114内の構成要素がより特定される。図７を参照すると、第１フレキシブル基板112は、偏光子1121と、基板1122と、スイッチ素子層1123とを含み、偏光子1121およびスイッチ素子層1123は、それぞれ基板1122の２つの反対の表面に配置されることができるが、これに限定されない。さらに、スイッチ素子層1123には、ボトムゲートを有する薄膜トランジスタ等の複数のスイッチ素子1124が存在する。図７中の右下の図を参照すると、各スイッチ素子1124は、基板1122上に配置されるボトムゲート1124-1と、ボトムゲート1124-1上に配置されるゲート誘電体層1124-2と、ボトムゲート1124-1上の両サイドに配置されるソース／ドレイン1124-3と、ゲート誘電体層1124-2とソース／ドレイン1124-3との間に挟まれる半導体層1124-4と、を含むことができる。第２フレキシブル基板114は、偏光子1141と、基板1142と、遮光層1143と、カラーフィルタとを選択的に含む。偏光子1141およびカラーフィルタ1144は、それぞれ基板1142の２つの反対の葉面に配置されることができる。液晶層116は、液晶材料1161と、封止剤1162とをさらに含むことができ、封止剤1162、第1フレキシブル基板112および第２フレキシブル基板114は、空間に液晶材料1161を含んでもよい。フレキシブル液晶表示装置100は、外枠130と、バックライトデバイス132とをさらに含む。バックライトデバイス132からの光は、遮光層1143により遮られる領域を通過することができないので、複数のピクセル照明領域140が、遮光層1143によって表示領域102内で決められる。
【００２７】
カバー層110は外枠130の開口部Sからむき出しにされることができ、表示領域102に表される画像は当該開口部Sから視認されることができる。バックライトデバイス132は、外枠130と第１フレキシブル基板112との間に配置され、表示画像に必要な光を供給する。本実施形態によれば、耐水接着剤120および接着剤122は、外枠130およびバックライトデバイス132に直接接触しない。しかしながら、他の実施形態では、耐水接着剤120または接着剤122は、外枠130またはバックライトデバイス132に直接接触することができる。特に、偏光は、バックライトデバイス132により生成され、最初に偏光子1121を通過した光から形成されることができ、対応する領域の液晶材料1161の回転方向がスイッチ素子1124により制御されて偏光の一部の偏光方向が回転し、当該偏光の一部がカラーフィルタ1144および偏光子1141等の構成要素または層を連続的に通過することができ、画像が表示される。尚、遮光層1143の一部は、周辺領域104に配置され、表示領域102の縁P1に接近隣接して配置されるので、遮光層1143の一部の縁1143Sは、表示領域102の縁P1と一直線となってもよいし、同時に外枠130の縁130Sと一直線となってもよいことに留意されたい。
【００２８】
上述した実施形態で開示されたフレキシブル液晶表示装置100によれば、耐水接着剤120が少なくとも第２フレキシブル基板114の側面114cに結合されるので、第２フレキシブル基板114、特に第２フレキシブル基板114の側面114cが、カバー層110の表面から剥離することが軽減され、フレキシブル液晶表示装置100の信頼性または寿命が向上される。
【００２９】
当業者は、開示された教示内容を保持しながら、装置および方法の多数の改良および変更を行えると、容易に気づくだろう。したがって、上記開示は、添付の請求項の境界および範囲によってのみ限定されるとみなされるべきである。
【符号の説明】
【００３０】
100  フレキシブル液晶表示装置
102  表示領域
104  周辺領域
110  カバー層
112a  第２表面
112b  第１表面
112c  側面
114a  第２表面
114b  第１表面
114c  側面
116  液晶層
118  光学接着剤
120  耐水接着剤
120-1  内側耐水接着剤
120-2  外側耐水接着剤
122  接着剤
1121  偏光子
1122  基板
1123  スイッチ素子層
1161  液晶材料
1162  封止剤
1141  偏光子
1142  基板
1143  遮光層
1144  カラーフィルタ
P1  縁
S1  間隔
【図１】
2020154307.tif 000003
【図２】
2020154307.tif 000004
【図３】
2020154307.tif 000005
【図４】
2020154307.tif 000006
【図５】
2020154307.tif 000007
【図６】
2020154307.tif 000008
【図７】
2020154307.tif 000009